(57)【要約】【課題】使用者の利き手がいずれであっても違和感無くロックを解除することができ、且つロック部材の移動スペースを必要最小限に抑える。【解決手段】開閉蓋のロック機構１００に、所定方向に移動して容器本体に設けられた開閉蓋をロックし、所定方向と反対方向に移動して開閉蓋のロック解除を行うロック部材５と、開閉蓋をロックした状態のときに、所定方向と反対方向に沿って移動可能な第１のスライダ１と、開閉蓋をロックした状態のときに、所定方向に沿って移動可能な第２のスライダ２と、第１のスライダ１と第２のスライダ２とを互いに相反する方向に同時に移動させる移動機構４と、を備え、ロック部材５を、第１のスライダ１或いは第２のスライダ２と連動して移動するように構成した。【選択図】        図１
2004169509.tif 000002
【特許請求の範囲】
【請求項１】
所定方向に移動して容器本体に設けられた開閉蓋をロックし、前記所定方向と反対方向に移動して前記開閉蓋のロック解除を行うロック部材と、
前記開閉蓋をロックした状態のときに、前記所定方向と反対方向に沿って移動可能な第１のスライダと、
前記開閉蓋をロックした状態のときに、前記所定方向に沿って移動可能な第２のスライダと、
前記第１のスライダと前記第２のスライダとを互いに相反する方向に同時に移動させる移動機構と、を備え、
前記ロック部材を、前記第１のスライダ或いは前記第２のスライダと連動して移動するように構成したことを特徴とする開閉蓋のロック機構。
【請求項２】
前記移動機構は、
前記第１のスライダに設けられた第１のラックギヤと、
前記第２のスライダに設けられた第２のラックギヤと、
前記第１のラックギヤと前記第２のラックギヤとの間に固定され、前記第１のラックギヤと前記第２のラックギヤとに噛み合うピニオンギヤと、
を備えることを特徴とする請求項１に記載の開閉蓋のロック機構。
【請求項３】
前記移動機構は、
前記第１のスライダに設けられた第１の係合部と、
前記第２のスライダに設けられた第２の係合部と、
一端が前記第１の係合部に摺動自在に係合され、他端が前記第２の係合部に摺動自在に係合されるとともに、中心位置が回動自在に固定された回動部材と、
を備えることを特徴とする請求項１に記載の開閉蓋のロック機構。
【発明の詳細な説明】
【０００１】
【発明の属する技術分野】
本発明は、開閉蓋のロック機構に関する。
【０００２】
【従来の技術】
従来、電子機器等における開閉蓋のロック機構は、例えば、図４に示すように、ツマミ１０１を紙面に向かって左方向に移動させると、ツマミ１０１と一体形成されたピン部材１０２により、ロック部材１０３が左方向に移動し、開閉蓋１０４に設けられた係止部１０５がロック部材１０３から解放され開閉蓋１０４のロックが解除される。
ところが、この開閉蓋１０４のロック機構においては、ツマミ１０１を一方向（左方向）にしか移動させることができないため、図４に示すようなロック機構においては、左利きの使用者は操作をしやすいが、右利きの使用者は操作しにくく違和感を感じることがあった。
そこで、このような問題を解決するものとして、使用者の利き手が左右いずれであっても、ツマミを違和感無く動かしてロック解除できる開閉蓋のロック機構が開示されている（例えば、特許文献１参照。）。
特許文献１に記載の開閉蓋のロック機構においては、本体側に設けられたロック部材が開閉蓋側に設けられた係止部との係合位置を中心として両方向へスライド可能とされているため、ツマミをどちらに動かしてもロックが解除される仕組みとなっており、使用者の利き手に関わらず操作しやすい機構となっている。
【０００３】
【特許文献１】
特開平５−１７０２５５号公報
【０００４】
【発明が解決しようとする課題】
しかしながら、特許文献１においては、ツマミの移動に伴ってロック部材もツマミと同じ方向に移動するため、ロック部材の移動するスペースを係止部との係合位置から両側に確保する必要があった。そのため、ロック機構の小型化を図るうえでの障害となっていた。
【０００５】
本発明は、上記事情に鑑みてなされたものであり、その目的とするところは、使用者の利き手がいずれであっても違和感無くロックを解除することができ、且つロック部材の移動スペースを必要最小限に抑えることができる開閉蓋のロック機構を提供することにある。
【０００６】
【課題を解決するための手段】
以上の課題を解決するため、請求項１に記載の発明は、所定方向に移動して容器本体に設けられた開閉蓋をロックし、前記所定方向と反対方向に移動して前記開閉蓋のロック解除を行うロック部材と、前記開閉蓋をロックした状態のときに、前記所定方向と反対方向に沿って移動可能な第１のスライダと、前記開閉蓋をロックした状態のときに、前記所定方向に沿って移動可能な第２のスライダと、前記第１のスライダと前記第２のスライダとを互いに相反する方向に同時に移動させる移動機構と、を備え、前記ロック部材を、前記第１のスライダ或いは前記第２のスライダと連動して移動するように構成したことを特徴とする。
【０００７】
請求項２に記載の発明は、前記移動機構は、前記第１のスライダに設けられた第１のラックギヤと、前記第２のスライダに設けられた第２のラックギヤと、前記第１のラックギヤと前記第２のラックギヤとの間に固定され、前記第１のラックギヤと前記第２のラックギヤとに噛み合うピニオンギヤと、を備えることを特徴とする。
【０００８】
請求項３に記載の発明は、前記移動機構は、前記第１のスライダに設けられた第１の係合部と、前記第２のスライダに設けられた第２の係合部と、一端が前記第１の係合部に摺動自在に係合され、他端が前記第２の係合部に摺動自在に係合されるとともに、中心位置が回動自在に固定された回動部材と、を備えることを特徴とする。
【０００９】
【発明の実施の形態】
以下、図面を参照して本発明の実施の形態である開閉蓋のロック機構について詳細に説明する。
〔第１の実施の形態〕
図１に示すように、開閉蓋（図示しない）のロック機構１００は、例えば、ポータブルＣＤ機器やポータブルＭＤ機器に用いられるものであり、本体機器（図示しない）に固定された固定プレート１０に設けられている。開閉蓋のロック機構１００は、開閉蓋（図示しない）のロックを解除する方向にスライド移動可能な第１のスライダとしての左スライダ１、左スライダ１と反対方向にスライド移動可能な第２スライダとしての右スライダ２と、左スライダ１と右スライダ２とを連結するコイルバネ３と、左スライダ１と右スライダ２とを互いに反対方向にスライド移動させる移動機構４と、開閉蓋の係止部２０に係止されて開閉蓋を本体機器にロックするロック部材としてのロック爪５と、左スライダ１及び右スライダ２をスライド移動させる力を付与するツマミ６等を備えている。
【００１０】
固定プレート１０は、左スライダ１及び右スライダ２がスライド移動する場合のガイドとなる段付きガイドピン７ａ，７ｂを備えている。段付きガイドピン７ａ，７ｂは、外径の異なる二つのピンが一体形成されたものである。また、固定プレート１０の上端部には、厚さ方向に曲成された舌片１０ｂが一体形成され、固定プレート１０の下端部には、厚さ方向に曲成されたガイド壁１０ｃが一体形成されている。
【００１１】
左スライダ１は、略Ｌ字状の板材から形成されており、短尺部１１と長尺部１２とを有する。短尺部１１は固定プレート１０の下端側に位置し、長尺部１２が固定プレート１０の上端側に沿うように設置されている。左スライダ１の長尺部１２にはロック爪５が長尺部１２と一体形成されている。
また、左スライダ１には、スライド移動の際のガイドとなるガイド溝１３が長尺部１２の長手方向に沿った方向に延びて形成され、このガイド溝１３には、固定プレート１０に固定された段付きガイドピン７ａが係合されている。
【００１２】
また、左スライダ１の短尺部１１には、ツマミ６のピン部材８ａ（後述する）と係合する凹部１４が形成されている。
また、左スライダ１の長尺部１２には、上ラックギヤ４１（後述する）が設けられている。
更に、左スライダ１の長尺部１２の先端部には、右スライダ２とコイルバネ３で連結するためのバネ係止部１５が形成されている。
【００１３】
右スライダ２は、略Ｌ字状の板材から形成されており、短尺部２１と長尺部２２とを有する。右スライダ２の長尺部２２は、固定プレート１０の下端側に位置しており、左スライダ１の長尺部２２と上下方向に対向するように配置されている。
また、右スライダ２の短尺部２１には、スライド移動の際のガイドとなるガイド溝２３が長尺部２２の長手方向に沿った方向に延びて形成され、このガイド溝２３には、固定プレート１０に固定された段付きガイドピン７ｂが係合されている。
【００１４】
また、右スライダ２の短尺部２１には、ツマミ６のピン部材８ｂ（後述する）と係合する凹部２４が形成されている。
また、右スライダ２の長尺部２２のうち、左スライダ１の長尺部１２に設けられた上ラックギヤ４１に対向する位置には、下ラックギヤ４２（後述する）が設けられている。
更に、右スライダ２の短尺部２１の先端部には、左スライダ１とコイルバネ３で連結するためのバネ係止部２５が形成されている。
【００１５】
コイルバネ３は、左スライダ１のバネ係止部１５と右スライダ２のバネ係止部２５とを連結し、左スライダ１と右スライダ２とを所定距離以上離間させた場合に、左スライダ１と右スライダ２とに元の位置に戻そうとする付勢力を作用させるものである。
コイルバネ３は、ロック爪５が開閉蓋をロックしている場合に、小さな衝撃等によってロック爪５が係止部２０から外れることのない程度の付勢力をかけた状態で、左スライダ１と右スライダ２とを連結している。
【００１６】
移動機構４は、左スライダ１に設けられた上ラックギヤ４１と、右スライダ２に設けられた下ラックギヤ４２と、上ラックギヤ４１と下ラックギヤ４２とに噛み合うとともに、固定プレート１０のほぼ中央位置に固定されたピニオンギヤ４３とを備えている。
【００１７】
上ラックギヤ４１は、左スライダ１の長尺部１２に一体形成されており、ピニオンギヤ４３の上部と噛み合わされている。
下ラックギヤ４２は、右スライダ２の長尺部２２に一体形成されており、ピニオンギヤ４３の下部と噛み合わされている。
ピニオンギヤ４３は、上ラックギヤ４１と下ラックギヤ４２とに挾まれた状態で固定プレート１０に設けられた軸部材４３ａに取り付けられている。
【００１８】
ロック爪５は、左スライダ１に一体形成されており、その先端部が長尺部１２の先端部に向けて突出した形状となっている。ロック爪５は、突出した部分が開閉蓋の係止部２０と係合することで開閉蓋を本体機器にロックする。
【００１９】
ツマミ６は、開閉蓋のロック及びロック解除を行う時に使用者が操作する部分であり、また、ツマミ６の裏面には、段付きガイドピン７ａ，７ｂ及び軸部材４３ａの長手方向（即ち、紙面に対して手前から奥に延びる方向）に沿って延びるピン部材８ａ，８ｂが一体形成されている。
ピン部材８ａは、左スライダ１の凹部１４と係合し、ピン部材８ｂは、右スライダ２の凹部２４と係合するように形成されており、ツマミ６を左右に動かすことでピン部材８ａ，８ｂが凹部１４，２４に係合して左スライダ１及び右スライダ２を押すことにより、ロック及びロック解除を行う。
【００２０】
次に、開閉蓋のロック及びロック解除の機構の作用について説明する。
図１（ａ）に示すように、開閉蓋をロックした状態では、ピン部材８ａは左スライダ１の凹部１４に係合し、ピン部材８ｂは右スライダ２の凹部２４に係合した状態となっている。また、コイルバネ３は、小さな衝撃等によってロック爪５が係止部２０から外れることのない程度の付勢力をかけた状態で、左スライダ１と右スライダ２とを連結している。また、段付きガイドピン７ａは、ガイド溝１３の左端に位置し、段付きガイドピン７ｂは、ガイド溝１４の右端に位置している。
【００２１】
ここで、ツマミ６を左方向（ロック爪５がロック解除する方向。以下同じ。）にスライドさせると、図１（ｂ）に示すように、ツマミ６に一体形成されたピン部材８ａが凹部１４を左方向に押し、左スライダ１が左方向にスライド移動する。このとき、左スライダ１は、段付きガイドピン７ａがガイド溝１３の右端に突き当たるまでスライド移動することができる。左スライダ１が左方向にスライド移動すると、左スライダ１に一体形成されたロック爪５と開閉蓋の係止部２０との係止状態が解放されるので、開閉蓋のロックが解除される。
【００２２】
また、左スライダ１が左方向にスライド移動することで、左スライダ１に形成された上ラックギヤ４１も左方向にスライド移動する。上ラックギヤ４１が左方向にスライド移動すると、上ラックギヤ４１に噛み合うピニオンギヤ４３は軸部材４３ａを回転中心として反時計回りに回転する。ピニオンギヤ４３が反時計回りに回転すると、ピニオンギヤ４３に噛み合う下ラックギヤ４２が右方向（ロック爪５がロックする方向。以下同じ。）にスライド移動する。これに伴い、下ラックギヤ４２が一体形成されている右スライダ２も右方向にスライド移動する。
【００２３】
そして、左スライダ１が左方向にスライド移動し、右スライダ２が右方向にスライド移動することにより、コイルバネ３を係止しているバネ係止部１５とバネ係止部２５とが更に離間するので、コイルバネ３が伸びることとなる。コイルバネ３が伸びることにより、コイルバネ３には、元に戻ろうとする付勢力が作用するため、ツマミ６にかけている力を解放すると、コイルバネ３の付勢力により、左スライダ１は右方向にスライド移動し、右スライダ２は左方向に移動し、各スライダ１，２はスライド移動前の位置に復帰する。
【００２４】
一方、図１（ａ）に示す開閉蓋のロック状態から、ツマミ６を右方向にスライドさせると、図１（ｃ）に示すように、ツマミ６に一体形成されたピン部材８ｂが凹部２４を右方向に押し、右スライダ２が右方向にスライド移動する。このとき、右スライダ２は、段付きガイドピン７ｂがガイド溝２３の左端に突き当たるまでスライド移動することができる。右スライダ２が右方向にスライド移動すると、右スライダ２に形成された下ラックギヤ４２も右方向にスライド移動する。下ラックギヤ４２が右方向にスライド移動すると、下ラックギヤ４２に噛み合うピニオンギヤ４３は軸部材４３ａを回転中心として反時計回りに回転する。ピニオンギヤ４３が反時計回りに回転すると、ピニオンギヤ４３に噛み合う上ラックギヤ４１が左方向にスライド移動する。これに伴い、上ラックギヤ４１が一体形成されている左スライダ１も左方向にスライド移動する。左スライダ１が左方向にスライド移動することにより、左スライダ１に一体形成されたロック爪５と開閉蓋の係止部２０との係止状態が解放されるので、開閉蓋のロックが解除される。
【００２５】
そして、右スライダ２が右方向にスライド移動し、左スライダ１が左方向にスライド移動することにより、コイルバネ３を係止しているバネ係止部１５とバネ係止部２５とが更に離間するので、コイルバネ３が伸びることとなる。コイルバネ３が伸びることにより、コイルバネ３には、元に戻ろうとする付勢力が作用するため、ツマミ６にかけている力を解放すると、コイルバネ３の付勢力により、右スライダ２は左方向にスライド移動し、左スライダ１は右方向に移動し、各スライダ１，２はスライド移動前の位置に復帰する。
【００２６】
本第１の実施の形態の開閉蓋のロック機構１００によれば、ツマミ６を左方向に動かして、左スライダ１を左方向にスライド移動した場合には、左スライダ１に一体形成されているロック爪５も左方向にスライド移動するので、開閉蓋をロック解除することができる。一方、ツマミ６を右方向に動かして、右スライダ２を右方向にスライド移動した場合には、下ラックギヤ４２の右方向への動きをピニオンギヤ４３に伝達してピニオンギヤ４３を反時計回りに回転させ、回転したピニオンギヤ４３がその回転を上ラックギヤ４１に伝達することで、左スライダ１を左方向にスライド移動させることとなるので、開閉蓋をロック解除することができる。
また、左スライダ１は、ツマミ６を左右いずれの方向に動かしても左方向にしか動くことがないので、左スライダ１に一体形成されたロック爪５も左方向にしか動かないこととなる。
【００２７】
従って、ツマミ６は左右いずれの方向に動かしてもロック爪５のついた左スライダ１を左方向にスライド移動させることができるので、使用者の利き手が左右いずれであっても違和感無くロックを解除することができ、且つロック爪５の移動スペースをロック位置の左側に設けるだけでよいので、ロック爪５の移動に必要なスペースを最小限に抑えることができる。
また、各スライダ１，２をスライド移動させる移動機構４は、左スライダ１に一体形成された上ラックギヤ４１と、右スライダ２に一体形成された下ラックギヤ４２と、上ラックギヤ４１と下ラックギヤ４２とに噛み合うピニオンギヤ４３とから形成されているので、同一平面上で動力の伝達を行うことができることとなって、移動機構４を両スライダ１，２の厚さ内に設けることが可能となり、開閉蓋のロック機構１００の薄型化、小型化を図ることができる。
【００２８】
〔第２の実施の形態〕
次に、本発明の第２の実施の形態における開閉蓋のロック機構２００について説明する。なお、本実施の形態における開閉蓋のロック機構２００は、第１の実施の形態における移動機構４を他の異なる構成としたものである。よって、本実施の形態では、移動機構９について説明し、上記第１の実施の形態と同様の構成要素については同一符号を付して説明を省略する。
移動機構９は、左スライダ１に設けられた第１の係合部としての上溝部９１と、右スライダ２に設けられた第２の係合部としての下溝部９２と、一端が上溝部９１に摺動自在に係合され、他端が下溝部９２に摺動自在に係合され、上溝部９１と下溝部９２とを結ぶ直線上で、その中心が回動自在に固定された回動部材９３とを備えている。
【００２９】
上溝部９１は、左スライダ１の長尺部１２の高さ方向に沿って形成されており、この上溝部９１内に回動部材９３の一端部に設けられた係合ピン９３ａ（後述する）が係合されている。
【００３０】
下溝部９２は、右スライダ２の長尺部２２の高さ方向に沿って形成されており、この下溝部９２内に回動部材９３の他端部に設けられた係合ピン９３ｂ（後述する）が係合されている。
【００３１】
回動部材９３は、略棒状に形成された板材であり、その一端部には、左スライダ１の長尺部１２の厚さ方向（紙面の手前から奥に延びる方向）に沿って延びる係合ピン９３ａが設けられている。また、回動部材９３の他端部には、右スライダ２の長尺部２２の厚さ方向（紙面の手前から奥に延びる方向）に沿って延びる係合ピン９３ｂが設けられている。なお、係合ピン９３ａは上溝部９１内を左スライダ１の高さ方向（紙面の上下方向）に摺動自在に係合され、係合ピン９３ｂは下溝部９２内を右スライダ２の高さ方向（紙面の上下方向）に摺動自在に係合されている。また、回動部材９３の長手方向の中心が、固定プレート１０に設けられた軸部材９３ｃに回動自在に固定されている。
【００３２】
次に、開閉蓋のロック及びロック解除の機構の作用について説明する。
図２（ａ）に示すように、開閉蓋をロックした状態では、ピン部材８ａは左スライダ１の凹部１４に係合し、ピン部材８ｂは右スライダ２の凹部２４に係合した状態となっている。また、コイルバネ３は、小さな衝撃等によってロック爪５が係止部２０から外れることのない程度の付勢力をかけた状態で、左スライダ１と右スライダ２とを連結している。また、段付きガイドピン７ａは、ガイド溝１３の左端に位置し、段付きガイドピン７ｂは、ガイド溝１４の右端に位置している。
【００３３】
ここで、ツマミ６を左方向にスライドさせると、図２（ｂ）（ｃ）に示すように、ツマミ６に一体形成されたピン部材８ａが凹部１４を左方向に押し、左スライダ１が左方向にスライド移動する。このとき、左スライダ１は、段付きガイドピン７ａがガイド溝１３の右端に突き当たるまでスライド移動することができる。左スライダ１が左方向にスライド移動すると、左スライダ１に一体形成されたロック爪５と開閉蓋の係止部２０との係止状態が解放されるので、開閉蓋のロックが解除される。
【００３４】
また、左スライダ１が左方向にスライド移動することで、上溝部９１に係合する係合ピン９３ａは、上溝部９１内を上下方向に摺動しながら左方向に移動する。係合ピン９３ａが左方向に移動すると、回動部材９３は軸部材９３ｃを回動中心として反時計回りに回動する。回動部材９３が反時計回りに回動すると、回動部材９３の他端部も軸部材９３ｃを回動中心として反時計回りに回動し、回動部材９３の他端部に設けられた係合ピン９３ｂは、下溝部９２内を上下方向に摺動しながら右方向に移動する。これに伴い、右スライダ２も右方向にスライド移動する。
【００３５】
そして、左スライダ１が左方向にスライド移動し、右スライダ２が右方向にスライド移動することにより、コイルバネ３を係止しているバネ係止部１５とバネ係止部２５とが更に離間するので、コイルバネ３が伸びることとなる。コイルバネ３が伸びることにより、コイルバネ３には、元に戻ろうとする付勢力が作用するため、ツマミ６にかけている力を解放すると、コイルバネ３の付勢力により、左スライダ１は右方向にスライド移動し、右スライダ２は左方向に移動し、各スライダ１，２はスライド移動前の位置に復帰する。
【００３６】
一方、図２（ａ）に示す開閉蓋のロック状態から、ツマミ６を右方向にスライドさせると、ツマミ６に一体形成されたピン部材８ｂが凹部２４を右方向に押し、右スライダ２が右方向にスライド移動する。このとき、右スライダ２は、段付きガイドピン７ｂがガイド溝２３の左端に突き当たるまでスライド移動することができる。
【００３７】
右スライダ２が右方向にスライド移動することで、下溝部９２に係合する係合ピン９３ｂは、下溝部９２内を上下方向に摺動しながら右方向に移動する。係合ピン９３ｂが右方向に移動すると、回動部材９３は軸部材９３ｃを回動中心として反時計回りに回動する。回動部材９３が反時計回りに回動すると、回動部材９３の一端部も軸部材９３ｃを回動中心として反時計回りに回動し、回動部材９３の一端部に設けられた係合ピン９３ａは、上溝部９１内を上下方向に摺動しながら左方向に移動する。これに伴い、左スライダ１も左方向にスライド移動する。左スライダ１が左方向にスライド移動することにより、左スライダ１に一体形成されたロック爪５と開閉蓋の係止部２０との係止状態が解放されるので、開閉蓋のロックが解除される。
【００３８】
そして、右スライダ２が右方向にスライド移動し、左スライダ１が左方向にスライド移動することにより、コイルバネ３を係止しているバネ係止部１５とバネ係止部２５とが更に離間するので、コイルバネ３が伸びることとなる。コイルバネ３が伸びることにより、コイルバネ３には、元に戻ろうとする付勢力が作用するため、ツマミ６にかけている力を解放すると、コイルバネ３の付勢力により、右スライダ２は左方向にスライド移動し、左スライダ１は右方向に移動し、各スライダ１，２はスライド移動前の位置に復帰する。
【００３９】
本第２の実施の形態の開閉蓋のロック機構２００によれば、ツマミ６を左方向に動かして、左スライダ１を左方向にスライド移動した場合には、左スライダ１に一体形成されているロック爪５も左方向にスライド移動するので、開閉蓋をロック解除することができる。一方、ツマミ６を右方向に動かして、右スライダ２を右方向にスライド移動した場合には、係合ピン９３ｂの右方向への動きを回動部材９３に伝達して回動部材９３を軸部材９３ｃを回動中心として反時計回りに回動させ、回動した回動部材９３がその回動を係合ピン９３ａに伝達することで、係合ピン９３ａを左方向に移動させ、左スライダ１を左方向にスライド移動させることとなるので、開閉蓋をロック解除することができる。
また、左スライダ１は、ツマミ６を左右いずれの方向に動かしても左方向にしか動くことがないので、左スライダ１に一体形成されたロック爪５も左方向にしか動かないこととなる。
【００４０】
従って、ツマミ６は左右いずれの方向に動かしてもロック爪５のついた左スライダ１を左方向にスライド移動させることができるので、使用者の利き手が左右いずれであっても違和感無くロックを解除することができ、且つロック爪５の移動スペースをロック位置の左側に設けるだけでよいので、ロック爪５の移動に必要なスペースを最小限に抑えることができる。
また、各スライダ１，２をスライド移動させる移動機構９は、左スライダ１に設けられた上溝部９１と、右スライダ２に設けられた下溝部９２と、上溝部９１に係合する係合ピン９３ａと下溝部９２に係合する係合ピン９３ｂとを有する回動部材９３と、から形成されているので、同一平面上で動力の伝達を行うことができることとなって、開閉蓋のロック機構２００の薄型化、小型化を図ることができる。
【００４１】
なお、本発明は、上記実施の形態に限定されるものではなく、発明の要旨を逸脱しない範囲内で自由に変更が可能である。例えば、図３に示すように、右スライダ２にもロック爪５を設け、開閉蓋の係止部２０を両端側からロックするようにしてもよい。この時、ロック爪５が一つの場合と同じロック強度でよい場合には、一つのロック爪５に必要なロック強度が半分で済むので、一つのロック爪５が係止部２０と係合すべき面積を半分にすることができる。これにより、例えば、ロック爪５の先端の突出量を半分にすることで、ロックを解除するために必要な移動スペースを小さくすることができ、開閉蓋のロック機構の小型化を図ることができる。また、２カ所から係止部２０をロックすることができるので、ロックを更に強固なものとすることができる。
また、第２の実施の形態における移動機構９を構成する上溝部９１，下溝部９２は、溝に限られるものではなく、長孔等でもよい。なお、長孔にすると、係合ピン９３ａ，９３ｂが各スライダ１，２から離脱することがなくなるという点で好適である。
また、各ラックギヤ４１，４２は、各スライダ１，２の長尺部と一体形成されていても良いし、別個取り付けても良い。また、コイルバネ３の弾性率は任意であり、用途に合わせて変更可能である。
【００４２】
【発明の効果】
本発明によれば、使用者の利き手がいずれであっても違和感無くロックを解除することができ、且つロック部材の移動スペースを必要最小限に抑えることができる。
【図面の簡単な説明】
【図１】本発明の第１の実施の形態における開閉蓋のロック機構を説明する概要図である。
【図２】本発明の第２の実施の形態における開閉蓋のロック機構を説明する概要図である。
【図３】本発明の第１の実施の形態における変形例の開閉蓋のロック機構を説明する概要図である。
【図４】従来技術における開閉蓋のロック機構を説明する概要図である。
【符号の説明】
１        左スライダ（第１のスライダ）
２        右スライダ（第２のスライダ）
４，９    移動機構
４１      上ラックギヤ（第１のラックギヤ）
４２      下ラックギヤ（第２のラックギヤ）
４３      ピニオンギヤ
５        ロック爪（ロック部材）
９１      上溝部（第１の係合部）
９２      下溝部（第２の係合部）
９３      回動部材
１００，２００      開閉蓋のロック機構
【図１】
2004169509.tif 000003
【図２】
2004169509.tif 000004
【図３】
2004169509.tif 000005
【図４】
2004169509.tif 000006